(57)【特許請求の範囲】
【請求項１】
携帯電話機と、携帯電話網に接続された第１のゲートウェイと、該第１のゲートウェイに接続された第２のゲートウェイと、該第２のゲートウェイに接続された地図サーバとを有する地図情報システムにおける地図表示方法であって、
前記携帯電話機が情報を要求し、第１のゲートウェイが端末ＩＤを付加し、第２のゲートウェイが該端末ＩＤをチェックし、地図サーバが前記要求に基き経路案内地図及び経路案内文を生成し、該地図サーバがその結果を前記携帯電話機に送信し、該携帯電話機はその結果を該携帯電話機の画面に表示させることを特徴とする地図表示方法。
【請求項２】
携帯電話機と、携帯電話網に接続された第１のゲートウェイと、該第１のゲートウェイに接続された第２のゲートウェイと、該第２のゲートウェイに接続された地図サーバを有し、
前記携帯電話機が情報を要求し、前記第１のゲートウェイが端末ＩＤを付加し、前記第２のゲートウェイが該端末ＩＤをチェックし、前記地図サーバが前記要求に基き経路案内地図及び経路案内文を生成し、該地図サーバがその結果を前記携帯電話機に送信することを特徴とする地図情報システム。
【請求項３】
地図サーバ及び携帯電話機を有する地図情報システムであって、
前記地図サーバは携帯電話網に接続され、該地図サーバは所定の情報に基き、携帯電話機に自動的に経路案内地図及び経路案内文を送信することを特徴とする地図情報システム。
【請求項４】
地図サーバ及び携帯電話機を有する地図情報システムであって、
前記地図サーバは携帯電話網に接続され、該地図サーバは予め入力された所定の情報に基づいて経路探索を行ない、該経路探索の結果から経路案内文及び経路案内地図を生成し、前記所定の情報に基いて該経路案内文及び経路案内地図のデータを出力先に応じた形式に変換し、該変換されたデータを所定の時刻に所定の携帯電話機に送信することを特徴とする地図情報システム。
【請求項５】
地図サーバから携帯電話機に地図情報を配信する地図配信方法であって、
前記地図サーバが、所定の情報に基き、前記携帯電話機に自動的に経路案内地図及び経路案内文を送信することを特徴とする地図配信方法。
【請求項６】
地図サーバから携帯電話機に地図情報を配信する地図配信方法であって、
前記地図サーバは予め入力された所定の情報に基づいて経路探索を行ない、該経路探索の結果から経路案内文及び経路案内地図を生成し、前記所定の情報に基いて該経路案内文及び経路案内地図のデータを出力先に応じた形式に変換し、該変換されたデータを所定の時刻に所定の携帯電話機に送信することを特徴とする地図配信方法。
【発明の詳細な説明】
【０００１】
【発明の属する技術分野】
本発明は、移動体通信技術に係り、特に、地図情報を携帯電話機に表示するシステム及び方法に関する。
【０００２】
【従来の技術】
近年、ノートパソコン等に地図を表示し、種々の情報を提供するサービスが普及してきている。例えば、現在位置の周辺地図を携帯電話機等に接続したノートパソコンに表示させて、近くの店舗の情報を取得するようなサービスがある。
図１に従来の技術における地図表示のためのシステムの構成例を示す。同図に示すように、インターネットに接続された地図サーバから、インターネット及び事業者のネットワークを介して、地図情報がノートパソコンに伝送される構成をとる。
【０００３】
【発明が解決しようとする課題】
しかしながら、上記従来の技術によると、地図サーバはインターネットに接続されていたため、一般の携帯電話機から地図サーバにアクセスすることができなかった。従って、外出中に地図情報を参照する場合にはノートパソコン等の端末を携帯しなければならず、利便性に欠けるという問題点があった。
【０００４】
また、従来の技術においては、ネットワークを介した地図情報の配信は要求に基づくプル方式であり、更に多様なサービスを提供することが可能なプッシュ型の地図配信が望まれている。
本発明は上記の点に鑑みてなされたものであり、携帯電話機からインターネットを介さずに地図サーバにアクセスし、地図を取得するとともに、経路案内を行うことができる地図情報システムを提供することを目的とする。また、携帯電話機にプッシュ型で地図を配信することが可能な地図配信システムを提供することを目的とする。
【０００５】
【課題を解決するための手段】
上記の目的を達成するために、本発明は次のように構成される。
本発明は、地図サーバ及び携帯電話機を有する地図情報システムであって、前記地図サーバは携帯電話網に接続され、該地図サーバは携帯電話機からの要求に基づき該携帯電話機に経路案内地図及び経路案内文を送信して経路案内を行なう。
【０００６】
また、本発明の地図情報システムは、携帯電話機と、携帯電話網に接続された第１のゲートウェイと、該第１のゲートウェイに接続された第２のゲートウェイと、該第２のゲートウェイに接続された地図サーバを有し、前記携帯電話機が情報を要求し、前記第１のゲートウェイが端末ＩＤを付加し、前記第２のゲートウェイが該端末ＩＤをチェックし、前記地図サーバが前記要求に基き経路案内地図及び経路案内文を生成し、該地図サーバがその結果を前記携帯電話機に送信するように構成することもできる。
【０００７】
上記の発明によれば、携帯電話網に地図サーバを接続し、携帯電話網に接続した携帯電話機が地図情報サービスを受けることとしたので、一般の携帯電話機から地図サービスを受けることが可能となり、携帯電話機での周辺案内用地図表示、経路案内地図表示等のサービスが可能となる。従って、従来のように小型のＰＣ等を持ち運ぶ必要がなくなる。
【０００８】
上記の目的を達成するために、本発明は次のように構成することができる。
本発明は、地図サーバ及び携帯電話機を有する地図情報システムであって、前記地図サーバは携帯電話網に接続され、該地図サーバは所定の情報に基き、携帯電話機に自動的に経路案内地図及び経路案内文を送信する。
また、本発明のは、地図サーバ及び携帯電話機を有する地図情報システムであって、前記地図サーバは携帯電話網に接続され、該地図サーバは予め入力された所定の情報に基づいて経路探索を行ない、該経路探索の結果から経路案内文及び経路案内地図を生成し、前記所定の情報に基いて該経路案内文及び経路案内地図のデータを出力先に応じた形式に変換し、該変換されたデータを所定の時刻に所定の携帯電話機に送信する。
【０００９】
上記の目的を達成するために本発明を次のように構成してもよい。
本発明は、地図サーバから携帯電話機に地図情報を配信する地図配信方法であって、前記地図サーバが、所定の情報に基き、前記携帯電話機に自動的に経路案内地図及び経路案内文を送信する。
また、本発明は、地図サーバから携帯電話機に地図情報を配信する地図配信方法であって、前記地図サーバは予め入力された所定の情報に基づいて経路探索を行ない、該経路探索の結果から経路案内文及び経路案内地図を生成し、前記所定の情報に基いて該経路案内文及び経路案内地図のデータを出力先に応じた形式に変換し、該変換されたデータを所定の時刻に所定の携帯電話機に送信するように構成することもできる。
【００１０】
上記の発明によれば、所定の情報に基づいて自動的に地図情報が携帯電話機に配信されるので、地図情報を添付した配車等の多様なサービスを提供することが可能となる。
【００１１】
【発明の実施の形態】
図２に地図表示を実現する地図表示システムの構成を示す。同図に示すように、この地図表示システムは、携帯電話網１００、インターネット１０３、情報提供サーバ１０１、１０２から構成される。携帯電話網１００は、携帯電話機１１１、携帯網１０９、携帯網１１０、ゲートウェイサーバ１（１０８）、ゲートウェイサーバ２（１０７）、顧客ＤＢ１０６、情報提供サーバ１０５、地図サーバ１０４を有する。
【００１２】
ゲートウェイサーバ１（１０８）は、携帯電話機との通信を行なうためのゲートウェイであり、携帯電話機からの要求に対して端末ＩＤを付与し、指定された端末ＩＤが付与された携帯電話機への応答をその携帯電話機に送信する制御を行なう。
ゲートウェイ２（１０７）は、携帯電話機等からの要求がどのアドレス向けかを識別し、またそのアドレスへのアクセスを許容するか否かを顧客ＤＢ１０６を参照して判断する。アクセスを許容しない場合にはアクセスを拒否し、許容する場合には、そのアドレスへの中継を行なう。また、応答はその送信先の端末（携帯電話機）が収容されているゲートウェイを顧客ＤＢから参照し、そのゲートウェイにアクセスする。図２におけるゲートウェイサーバ１（１０７）はそのようなゲートウェイのうちの１つである。
【００１３】
顧客ＤＢ１０６は携帯電話機のアクセス可能なサーバ情報（サービスを提供するアドレス等）及び現在収容されているゲートウェイ情報を有するデータベースである。情報提供サーバ１０１、１０２はゲートウェイサーバ２（１０７）と専用線又はインターネットで接続され、ゲートウェイサーバ２（１０７）からの要求に応じた情報を生成配信する。
【００１４】
図３は本システムにおけるコマンドシーケンスを示す図である。同図及び図３を参照してコマンドシーケンスを説明する。まず、携帯電話機が情報要求として目的地情報及び要求地図種別をゲートウェイサーバ１（１０８）に携帯網１０９を介して送信する。ゲートウェイサーバ１（１０８）ではその携帯電話機の現在地情報と端末ＩＤを付加する。なお、携帯電話機が情報要求を行なう時に現在地情報を含めてもよい。
【００１５】
携帯電話機は、現在位置の情報として、経度緯度、住所、電話番号、店の名称等を送信できる。また、携帯電話機が現在位置を空白とした場合には、ゲートウェイサーバ１（１０８）は、例えば、目的地の最寄駅を現在位置と設定する。目的地情報は経度緯度、住所、電話番号、店の名称等である。要求地図種別としては単純経路地図又は周辺情報を付与した経路地図を指定できる。端末ＩＤは当該携帯電話網で収容されている端末のＩＤ番号である。
【００１６】
続いて、ゲートウェイサーバ１（１０８）は現在地情報、目的地情報、要求地図種別及び端末ＩＤをゲートウェイサーバ２（１０７）に送信する。ゲートウェイサーバ２（１０７）は、顧客ＤＢ１０６を参照して端末ＩＤをチェックする。ここで、端末ＩＤが顧客ＤＢにない場合、又は端末ＩＤがない場合にはアクセスが拒否される。端末ＩＤのチェック結果が良好であれば情報要求を地図サーバ１０４に送信する。
【００１７】
地図サーバ１０４では案内地図及び案内文を生成する。地図サーバ１０４は処理結果通知として結果生成物、案内地図及び案内文をゲートウェイサーバ２（１０７）に送信する。
上記の結果生成物は、地図ファイル数、目的地までの距離、経路ランドマーク数、周辺ランドマーク数、経路案内文数等から構成される。案内地図は地図ファイルであり、案内文は経路ランドマーク情報（名称、住所、電話番号）、周辺ランドマーク情報（名称、住所、電話番号）、経路案内文等である。なお、結果生成物は、例えば、上記の情報から構成された１つのＨＴＭＬ文書とすることができる。
【００１８】
続いて、ゲートウェイサーバ２（１０７）は送信先の携帯電話機が収容されているゲートウェイを顧客ＤＢ１０６から参照し、そのゲートウェイ、例えばゲートウェイサーバ１（１０８）に処理結果通知を送信する。そして、ゲートウェイサーバ１が携帯電話機に処理結果通知を送信することによって、携帯電話機で経路案内の情報を見ることができる。
【００１９】
図４は、本発明の一実施の形態を示し、上記の地図情報システムにおける携帯電話に地図が表示され、経路案内を行う場合の例を示す図である。同図において、携帯電話機に表示された画面が操作者のキー入力によって（ａ）〜（ｄ）のように遷移し、経路案内を行なう。
（ａ）は、ＪＲ鎌倉駅をスタート地点として鎌倉警察を目的地とする経路案内の最初の画面を表す。同図に示すように、スタート地点から目的地までの距離が示され、目印となるビル等（以下、ランドマークと称する）が地図上で数字又は文字のアイコンで示される。画面の下側には経路案内文が示される。経路案内文中には地図上のアイコンに対応したアイコンが表示され、そのアイコンをキー入力することにより、そのアイコンに対応したランドマーク周辺の案内文に遷移する。
【００２０】
図４において、（ａ）の画面で（アクセスキー）１を入力すると（ｂ）の画面になり、（ｂ）の画面で２を入力すると（ｃ）の画面になり、同様にして、目的地を示す（ｄ）の画面になる。このように、行程にそって適切な案内文及び地図を表示するので、小さな画面の携帯電話機でも操作性が良い。
図５は地図サーバ２００の構成を示す図である。同図に示すように、地図サーバ２００は、要求受取部２０１、制御部２０２、要求記憶部２０３、経路探索部２０４、案内文生成部２０５、地図生成部２０６、出力情報記憶部２０７、出力情報編集部２０８、出力環境部２０９、出力情報メディア変換部２１０、出力部２１１、地図データ２１２を有する。次に、地図サーバ２００の動作を説明する。
【００２１】
情報要求を受信すると、要求受取部２０１は携帯電話機等の要求端末からの地図要求と出力先端末種別を解釈し、その解釈した結果を制御部２０２に伝えるとともに要求内容を要求記憶部２０３に蓄積する。制御部２０２は地図の要求（出発点と目的地、端末種別等）を経路探索部２０４に通知する。経路探索部２０４では要求に応じた経路探索を地図データ２１２を参照しながら実行し、その結果を案内文生成部２０５と地図生成部２０６に通知する。上記の経路探索については種々の方法が可能である。
【００２２】
案内文生成部２０５及び地図生成部２０６は探索結果に基づいた案内文及び地図をそれぞれ生成し、出力情報蓄積部２０７に蓄積するとともに、生成が終わったことを制御部２０２に通知する。なお、地図生成部２０６は地図生成時に、情報要求に含まれる端末種別情報を基に、後述する出力環境部２０９に記述された端末種別画面制御ファイルを参照し、出力する地図サイズを設定する。
【００２３】
地図及び案内文の生成が終了すると、制御部２０２では出力処理を行なう旨を出力情報編集部２０８に通知する。出力情報編集部２０８では出力環境部２０９に記述された情報を基に出力情報において地図、案内文、アイコン説明等を配置して、編集する。編集が終わると出力情報メディア変換部２１０は、要求記憶部２０３に記憶されている出力端末情報を参照し、ＷＷＷサーバへの出力の場合はＨＴＭＬファイルのまま出力し、電子メールへの出力の場合にはＨＴＭＬファイルを添付ファイルとして電子メールで送信し、ＦＡＸ送信の場合にはＦＡＸ符号に変換して送信し、電話への出力の場合には案内文を音声で読み上げて出力部に送信する。出力部はその情報を指定された出力先に送信する。図３に示す携帯電話機への出力の場合には、その携帯電話機で表示可能なＨＴＭＬベースの言語によるデータをゲートウェイサーバ２（１０７）に送信する。
【００２４】
図６は、携帯電話機に送信するために地図サーバが生成したＨＴＭＬベースの言語によるデータの一例であり、図４に示した画面表示に対応する。このＨＴＭＬ文書を携帯電話機が解釈して地図を表示する。
図６に示したＨＴＭＬベースの言語は、ＨＴＭＬ言語のサブセット版であり、コンパクトＨＴＭＬ（Ｃ−ＨＴＭＬ）と称されている言語の仕様に近く、テンキーでの入力や、通話機能と連動させるタグ等が携帯電話機向けに定義されている。図６中、例えば  accesskey=1 のところで１を入力した画面は図４（ｂ）に対応している。
【００２５】
地図サーバ２００が図６に示したＨＴＭＬデータを生成する手順は次の通りである。出力情報編集部２０８は、出力環境部２０９に格納されている出力設定データ設定データファイルを参照し、案内文生成部２０５、地図生成部２０６が生成した各種情報情報の属性を判断する。出力設定データ設定データファイルには、案内文生成部２０５、地図生成部２０６が生成し、メモリ等に蓄積した各種情報の意味が記述されている。図７に出力設定データ設定データファイルの例を示す。そして、出力設定データを参照しながら各パラメータの属性にあったデータをメモリーから参照し編集する。出力設定データの例を図８に示す。これにより、図６に示すようなデータが生成される。
【００２６】
上記のシステムは端末からの要求に基づいて地図サーバが地図情報等を端末に送信するもの（プル型）であるが、地図サーバが、あるトリガーを基にして、端末からの要求がなくても地図情報を端末に送信する（プッシュ型）構成とすることが可能である。次に、そのようなプッシュ型の地図配信システムについて説明する。
【００２７】
本発明の実施の形態におけるプッシュ型の地図配信システムの全体のシステム構成は上記の図２で説明したものと同様である。本地図配信システムは、予め要求を登録した本人、または第三者からの要求により地図を携帯端末に配信する。
図９にプッシュ型の地図配信を行なう機能を有する地図サーバ２５０の機能構成を示す。本地図サーバは、地図サーバ基本機能部２５１及びプッシュ型地図配信処理部２５２から構成される。地図サーバ基本機能部２５１は、経路探索等、地図サーバの基本機能を有する。プッシュ型地図配信処理部２５２は、入力部２５３、基本機能Ｉ／Ｆ部２５４、入力情報解釈部２５５、制御部２５６、出力情報加工部２５７、出力部２５８から構成される。動作は次の通りである。
【００２８】
まず、地図サーバ２５０には予め出力すべき情報に関する要求が入力される。入力部２５３に入力されたその要求に基づき、基本機能部Ｉ／Ｆ２５４を介して、地図サーバ基本機能部２５１は経路探索の実行を起動する。基本機能部２５１は、得られた経路探索の結果を経路案内文であるテキストと経路案内地図であるイメージから構成されるＨＴＭＬファイルに変換し、そのＨＴＭＬファイルを出力情報としてプッシュ型地図配信処理部２５２に出力する。また、入力部２５３に入力された要求は入力情報解釈部に渡され、出力端末情報が得られる。
【００２９】
そのＨＴＭＬファイルは出力情報加工部２５７に入力され、出力情報加工部２５７はそのＨＴＭＬファイルを出力端末情報を参照しながら、出力先に応じた形式に変換して、出力部２５８にその情報を送る。例えば、ＷＷＷサーバへの出力の場合は得られたＨＴＭＬファイルはそのままの形式で出力部２５８に送り、電子メールへの出力の場合にはＨＴＭＬファイルを添付ファイルとして電子メールに変換し、ＦＡＸ送信の場合にはＦＡＸ符号に変換し、電話への出力の場合には案内文を音声に変換する。出力部２５８は所定の時刻が来るとその情報を要求入力時に指定された出力先に送信する。出力するトリガーは時間以外にも種々可能であり。例えば、特定の場所に端末が到着したときに情報が配信されるようにしたり、特定の通話先に通話した時に情報が配信されるようにすることが可能である。
【００３０】
このプッシュ型配信機能を使用することにより、地図情報を添付した配車および人員配置情報、または位置情報、または電話しておいた等の連絡先の案内図を通話中または通話後に受信することが可能となる。
本発明は、上記実施例に限定されるものではなく、その要旨を逸脱しない範囲において種々変更可能である。例えば、上記の説明では地図サーバ２００に地図データや出力環境部が含まれる例を示したが、地図データや出力環境部のそれぞれがネットワークに接続された別サーバにあってもよい。
【００３１】
【発明の効果】
本発明によれば、携帯電話網に地図サーバを接続し、携帯電話網に接続した携帯電話機が地図配信サービスを受けることとしたので、一般の携帯電話機から地図サービスを受けることが可能となり、携帯電話での周辺案内用地図表示、経路案内地図表示等のサービスが可能となる。
【００３２】
また、本発明によれば、予め要求を登録した本人、または第三者からの要求によりプッシュ型で所定の携帯電話機に地図を配信することができるため、地図情報を添付した配車および人員配置情報、または位置情報、または電話しておいた等の連絡先の案内図を通話中または通話後にプッシュ型配信サービスが可能となる。
【図面の簡単な説明】
【図１】従来の技術における地図表示システムを示す図である。
【図２】本発明の実施の形態における地図表示システムを示す図である。
【図３】  本発明の実施の形態における地図表示システムのコマンドシーケンスを示す図である。
【図４】携帯電話機の画面表示の例を示す図である。
【図５】本発明の実施の形態における地図サーバを示す図である。
【図６】携帯電話機向けに地図サーバが出力するデータの例を示す図である。
【図７】出力設定データ設定データファイルの例を示す図である。
【図８】出力設定データの例を示す図である。
【図９】プッシュ型配信を行なう地図サーバの構成図である。
【符号の説明】
１００  携帯電話網
１０１、１０２  情報提供サーバ
１０３  インターネット
１０４  地図サーバ
１０５  情報提供サーバ
１０６  顧客ＤＢ
１０７  ゲートウェイサーバ２
１０８  ゲートウェイサーバ１
１０９  携帯網
１１０  携帯網
１１１  携帯電話機
２００  地図サーバ
２０１  要求受取部
２０２  制御部
２０３  要求記憶部
２０４  経路探索部
２０５  案内文生成部
２０６  地図生成部
２０７  出力情報記憶部
２０８  出力情報編集部
２０９  出力環境部
２１０  出力情報メディア変換部
２１１  出力部
２１２  地図データ
２５０  地図サーバ
２５１  地図サーバ基本機能部
２５２  プッシュ型地図配信処理部
２５３  入力部
２５４  基本機能Ｉ／Ｆ部
２５５  入力情報解釈部
２５６  制御部
２５７  出力情報加工部
２５８  出力部
【図１】
0003773705.tif 000002
【図２】
0003773705.tif 000003
【図３】
0003773705.tif 000004
【図４】
0003773705.tif 000005
【図５】
0003773705.tif 000006
【図６】
0003773705.tif 000007
【図７】
0003773705.tif 000008
【図８】
0003773705.tif 000009
【図９】
0003773705.tif 000010